(57)【要約】【課題】  前飾り発光基板を薄く小さく形成して装置全体の小型化・簡素化を図り、前飾り発光基板の回路間でショートして損傷することを防止できる遊技機用役物装置及び遊技機用入賞装置を提供する。【解決手段】  前カバー２２には、前飾り発光基板３３の中央部の挿通孔３３ｂ（発光基板不存在位置に相当する）を通り後方に延出するボス部２２ｂが形成されている。前側装飾部２３にも後方に向けて有底の筒状部２３ｂが突出形成されている。前側装飾部２３の筒状部２３ｂに前カバー２２のボス部２２ｂを挿入し、前側装飾部２３と前カバー２２とを前カバー取付ビス４１によって筒状部２３ｂの後方端面側から共締め固定してある。【選択図】  図５
2008086698.tif 000002
【特許請求の範囲】
【請求項１】
遊技盤の盤面に取り付けられる台板から前方側に突出して配置される前側装飾部と、
その前側装飾部の前面に形成される前飾り凹部に収納され、前方に向けて発光する前飾り発光素子が主表面に実装された前飾り発光基板と、
その前飾り発光基板の前方に位置して前記前側装飾部と重ね合わせて配置され、前記前飾り発光素子が発する光を外部に漏出させるための透光性の前飾り表示部がその前飾り発光素子の装着位置に対応して形成されたカバー体と、
前記前飾り凹部に前記前飾り発光基板を収納保持した前記前側装飾部とその前側装飾部に重ね合わせて配置された前記カバー体とを、発光基板不存在位置にて共締め状態で固定するカバー体用締結手段と、
を備えたことを特徴とする遊技機用役物装置。
【請求項２】
遊技盤の盤面に取り付けられる台板から前方側に突出して配置される前側装飾部と、
その前側装飾部の前面に形成される前飾り凹部に収納され、前方に向けて発光する前飾り発光素子が主表面に実装されるとともに、中央部に挿通孔を有する環状の前飾り発光基板と、
その前飾り発光基板の前方に位置して前記前側装飾部と重ね合わせて配置され、前記前飾り発光素子が発する光を外部に漏出させるための透光性の前飾り表示部がその前飾り発光素子の装着位置に対応して形成されるとともに、前記前飾り発光基板の挿通孔を通り後方に延出するボス部を有するカバー体と、
そのカバー体のボス部が前記前側装飾部から後方に突出形成された有底の筒状部に挿入された形態において、前記前飾り凹部に前記前飾り発光基板を収納保持した前記前側装飾部の筒状部とその前側装飾部に重ね合わせて配置された前記カバー体のボス部とを後方端面側から共締め状態で固定するカバー体用締結部材と、
を備えたことを特徴とする遊技機用役物装置。
【請求項３】
前記前飾り発光基板には、前記挿通孔とは別の挿入孔が１又は複数貫通形成される一方、
前記前側装飾部及びカバー体には、前記前飾り発光基板の挿入孔を通ってそれら前側装飾部とカバー体とを係合するために、一方に係合凹部、他方に係合凸部が形成され、前記挿入孔に対応する位置にそれぞれ配置されている請求項１又は２に記載の遊技機用役物装置。
【請求項４】
遊技盤の盤面に対して前方側から取り付けられる台板に後端側を支持された前後方向の回動軸の軸線周りに回動して、入賞口への入賞容易な第一位置とその入賞口への入賞困難な第二位置とに変位可能な回動部材を有するとともに、その回動部材を前記第一位置及び第二位置の間で駆動変位させるアクチュエータと、そのアクチュエータの駆動力を前記回動部材に伝達する伝動機構とを収納して、前記台板に後方側から取り付けられるケーシングを有する遊技機用入賞装置であって、
前記台板から前方側に突出して配置される前側装飾部と、
その前側装飾部の前面に形成される前飾り凹部に収納され、前方に向けて発光する前飾り発光素子が主表面に実装された前飾り発光基板と、
その前飾り発光基板の前方に位置して前記前側装飾部と重ね合わせて配置され、前記前飾り発光素子が発する光を外部に漏出させるための透光性の前飾り表示部がその前飾り発光素子の装着位置に対応して形成されたカバー体と、
前記前飾り凹部に前記前飾り発光基板を収納保持した前記前側装飾部とその前側装飾部に重ね合わせて配置された前記カバー体とを、発光基板不存在位置にて共締め状態で固定するカバー体用締結手段とを備え、
前記前飾り発光基板には、１又は複数の挿入孔が前後方向に貫通形成される一方、前記カバー体には、前記前飾り発光基板の挿入孔を通って後方に突出する係合凸部が形成され、前記前側装飾部には、後端側を前記台板に支持された前記回動軸の前端側を支持し、かつ前記挿入孔を通って後方に突出した係合凸部に嵌合するために、前後方向に貫通して係合孔が形成されることを特徴とする遊技機用入賞装置。
【請求項５】
前記カバー体は、前記前飾り発光素子によって遊技機における内部抽選の結果を直接的に及び／又は保留数の形で間接的に表示するための発光表示盤を構成する請求項４に記載の遊技機用入賞装置。
【発明の詳細な説明】
【技術分野】
【０００１】
本発明は、遊技機用役物装置及び遊技機用入賞装置に関する。
【背景技術】
【０００２】
一般にパチンコ機のような遊技機の遊技盤上には、遊技機用役物装置として、始動入賞口（スタートチャッカー）や大入賞口（アタッカー）のような遊技機用入賞装置や、サイドランプのような遊技機用装飾装置等が備えられている。これらの遊技機用役物装置は、台板によって遊技盤の盤面に取り付けられるとともに、台板から前方側（遊技者側）に突出して配置される前面板（前側装飾部）を有している。そして、例えば電動チューリップと通称（略称電チュー）される可変入賞装置の前面板の後面側に発光基板を搭載し、その発光基板の主表面に前方に向けて発光するための発光素子を実装することが提案されている（特許文献１〜３参照）。
【０００３】
【特許文献１】特開平７−１３６３２４号公報
【特許文献２】特開平８−９８９２２号公報
【特許文献３】特開平６−１２１８７０号公報
【０００４】
これらの特許文献によれば、前方のガラス扉を除けば最も前方側に位置する可能性が高い可変入賞装置の前面板に、発光素子が発する光を外部に漏出させるための表示孔が貫通形成される。このために、仮に発光素子の先端が前面板の前面よりも前方に突出していれば、盤面を流下する遊技球によって発光素子が損傷を受けることになる。また、発光素子の先端が前面板の前面よりも後方に位置し、表示孔の直径が遊技球の直径より小さい場合でも、例えば、遊技球の詰り除去や釘調整・点検・修理等のためにガラス扉を開放したとき、小形金属部材の接触により発光基板の回路間でショートして損傷する危険性が避けられない。さらに、これらの発光基板は前面板等にビス（締結部材）で締付固定されるのが通常であり、発光基板の小型化（特に薄型化）が図られるようになると、発光基板に割れ・変形等が生じやすくなる。
【発明の開示】
【発明が解決しようとする課題】
【０００５】
本発明の課題は、前飾り発光基板を薄く小さく形成して装置全体の小型化・簡素化を図り、前飾り発光基板の回路間でショートして損傷することを防止できる遊技機用役物装置及び遊技機用入賞装置を提供することにある。
【課題を解決するための手段及び発明の効果】
【０００６】
上記課題を解決するために、本発明の遊技機用役物装置は、
遊技盤の盤面に取り付けられる台板から前方側に突出して配置される前側装飾部と、
その前側装飾部の前面に形成される前飾り凹部に収納され、前方に向けて発光する前飾り発光素子が主表面に実装された前飾り発光基板と、
その前飾り発光基板の前方に位置して前記前側装飾部と重ね合わせて配置され、前記前飾り発光素子が発する光を外部に漏出させるための透光性の前飾り表示部がその前飾り発光素子の装着位置に対応して形成されたカバー体と、
前記前飾り凹部に前記前飾り発光基板を収納保持した前記前側装飾部とその前側装飾部に重ね合わせて配置された前記カバー体とを、発光基板不存在位置にて共締め状態で固定するカバー体用締結手段と、
を備えたことを特徴とする。
【０００７】
このように、前飾り凹部に前飾り発光基板を収納保持した前側装飾部の前方に位置して、カバー体が重ね合わせて配置されているので、前飾り発光基板の主表面側はカバー体で覆われ、前飾り発光基板の回路間でショートして損傷することを防止できる。また、前飾り発光基板を挟んで前側装飾部とカバー体とを重ね合わせて配置し、発光基板不存在位置にてカバー体用締結手段により共締め状態で固定するので、前飾り発光基板を薄くかつ小さく形成しても割れ・変形等を生じにくく耐久性が向上し、遊技機用役物装置全体の小型化・簡素化を図ることができる。
【０００８】
ところで、カバー体（前カバー）は、板状、シール状、シート状、フィルム状等のいずれでもよく、カバー体の前面をレンズ面やローレット面に加工したり、拡散シートを貼ったりしてもよい。また、透光性の前飾り表示部は、貫通形成された前飾り表示孔を設けたり、透光性を有する透明又は半透明材料によって構成したりすることができる。さらに、カバー体用締結手段は、ビス等（カバー体用締結部材）で締付固定する他に、前側装飾部やカバー体に一体的に形成されたフック等の弾性力（弾性変形及び弾性復帰）を利用してもよい。なお、主表面は前飾り発光基板の表面又は裏面をいう。
【０００９】
一方、遊技機用役物装置には、始動入賞口（スタートチャッカー）、大入賞口（アタッカー）、一般の入賞口（チャッカー）、羽根物（旧２種）のような遊技機用入賞装置や、サイドランプのような遊技機用装飾装置等を含む。
【００１０】
そして、上記課題を解決するために、本発明の遊技機用役物装置は具体的に、
遊技盤の盤面に取り付けられる台板から前方側に突出して配置される前側装飾部と、
その前側装飾部の前面に形成される前飾り凹部に収納され、前方に向けて発光する前飾り発光素子が主表面に実装されるとともに、中央部に挿通孔を有する環状の前飾り発光基板と、
その前飾り発光基板の前方に位置して前記前側装飾部と重ね合わせて配置され、前記前飾り発光素子が発する光を外部に漏出させるための透光性の前飾り表示部がその前飾り発光素子の装着位置に対応して形成されるとともに、前記前飾り発光基板の挿通孔を通り後方に延出するボス部を有するカバー体と、
そのカバー体のボス部が前記前側装飾部から後方に突出形成された有底の筒状部に挿入された形態において、前記前飾り凹部に前記前飾り発光基板を収納保持した前記前側装飾部の筒状部とその前側装飾部に重ね合わせて配置された前記カバー体のボス部とを後方端面側から共締め状態で固定するカバー体用締結部材と、
を備えたことを特徴とする。
【００１１】
このように、カバー体のボス部が前側装飾部から後方に突出形成された有底の筒状部に挿入された形態において、前飾り凹部に前飾り発光基板を収納保持した前側装飾部の筒状部とその前側装飾部に重ね合わせて配置されたカバー体のボス部とを、発光基板不存在位置である前飾り発光基板の挿通孔位置にてカバー体用締結部材（例えばビス）により後方端面側から共締め状態で固定する。つまり、前飾り発光基板の挿通孔にカバー体のボス部を挿入することによって、発光基板不存在位置でのカバー体用締結部材による共締め固定が可能となる。したがって、前飾り発光基板を薄くかつ小さく形成しても割れ・変形等を生じにくく耐久性が向上し、遊技機用役物装置全体の小型化・簡素化を図ることができる。
【００１２】
しかも、前飾り発光基板を環状形成することにより、前飾り発光基板がずれないように前側装飾部（の前飾り凹部）とカバー体とで押圧保持する場合でも、その保持面積（押圧面積）が広くなるので、基板に働く圧縮応力を低く抑えることができる。したがって、前飾り凹部での前飾り発光基板のずれを防止するためにビス等のカバー体用締結部材で強く締め付けても、前飾り発光基板の割れ・変形等が発生しにくくなる。
【００１３】
これらの遊技機用役物装置において、前飾り発光基板には、挿通孔とは別の挿入孔を１又は複数貫通形成する一方、
前側装飾部及びカバー体には、前飾り発光基板の挿入孔を通ってそれら前側装飾部とカバー体とを係合するために、一方に係合凹部、他方に係合凸部を形成し、挿入孔に対応する位置にそれぞれ配置することが望ましい。
【００１４】
例えば、前飾り発光基板には、挿通孔とは別の挿入孔を１又は複数貫通形成する一方、
カバー体には、前飾り発光基板の挿入孔を通って後方に突出する係合凸部を形成し、
前側装飾部には、挿入孔を通って後方に突出した係合凸部に嵌合する係合凹部を形成することができる。
【００１５】
このように、前飾り発光基板の中央部に形成される挿通孔とは別の位置に形成された挿入孔を介して、係合凹部と係合凸部とを係合することにより、前飾り凹部における前飾り発光基板の位置決めが容易に行える。
【００１６】
一方、上記課題を解決するために、本発明の遊技機用入賞装置は、
遊技盤の盤面に対して前方側から取り付けられる台板に後端側を支持された前後方向の回動軸の軸線周りに回動して、入賞口への入賞容易な第一位置とその入賞口への入賞困難な第二位置とに変位可能な回動部材を有するとともに、その回動部材を前記第一位置及び第二位置の間で駆動変位させるアクチュエータと、そのアクチュエータの駆動力を前記回動部材に伝達する伝動機構とを収納して、前記台板に後方側から取り付けられるケーシングを有する遊技機用入賞装置であって、
前記台板から前方側に突出して配置される前側装飾部と、
その前側装飾部の前面に形成される前飾り凹部に収納され、前方に向けて発光する前飾り発光素子が主表面に実装された前飾り発光基板と、
その前飾り発光基板の前方に位置して前記前側装飾部と重ね合わせて配置され、前記前飾り発光素子が発する光を外部に漏出させるための透光性の前飾り表示部がその前飾り発光素子の装着位置に対応して形成されたカバー体と、
前記前飾り凹部に前記前飾り発光基板を収納保持した前記前側装飾部とその前側装飾部に重ね合わせて配置された前記カバー体とを、発光基板不存在位置にて共締め状態で固定するカバー体用締結手段とを備え、
前記前飾り発光基板には、１又は複数の挿入孔が前後方向に貫通形成される一方、前記カバー体には、前記前飾り発光基板の挿入孔を通って後方に突出する係合凸部が形成され、前記前側装飾部には、後端側を前記台板に支持された前記回動軸の前端側を支持し、かつ前記挿入孔を通って後方に突出した係合凸部に嵌合するために、前後方向に貫通して係合孔が形成されることを特徴とする。
【００１７】
このような遊技機用入賞装置において、前飾り凹部に前飾り発光基板を収納保持した前側装飾部の前方に位置して、カバー体が重ね合わせて配置されているので、前飾り発光基板の主表面側はカバー体で覆われ、前飾り発光基板の回路間でショートして損傷することを防止できる。また、前飾り発光基板を挟んで前側装飾部とカバー体とを重ね合わせて配置し、発光基板不存在位置にてカバー体用締結手段により共締め状態で固定するので、前飾り発光基板を薄くかつ小さく形成しても割れ・変形等を生じにくく耐久性が向上し、遊技機用入賞装置全体の小型化・簡素化を図ることができる。
【００１８】
しかも、前後方向に貫通形成される前飾り発光基板の挿入孔を介して、前側装飾部の係合孔とカバー体の係合凸部とを係合することにより、前飾り凹部における前飾り発光基板の位置決めが容易に行える。さらに、前側装飾部の係合孔は、入賞口への入賞容易な第一位置と入賞困難な第二位置とに回動部材（回動翼片）を変位させるための回動軸支持孔と兼用されているので、遊技機用入賞装置をさらに小型化・簡素化することができる。
【００１９】
このような遊技機用入賞装置は、具体的態様として、
遊技盤の盤面に対して前方側から取り付けられる台板に後端側を支持された前後方向の回動軸の軸線周りに回動して、入賞口への入賞容易な第一位置とその入賞口への入賞困難な第二位置とに変位可能な回動部材を有するとともに、その回動部材を前記第一位置及び第二位置の間で駆動変位させるアクチュエータと、そのアクチュエータの駆動力を前記回動部材に伝達する伝動機構とを収納して、前記台板に後方側から取り付けられるケーシングを有する遊技機用入賞装置であって、
前記台板から前方側に突出して配置される前側装飾部と、
その前側装飾部の前面に形成される前飾り凹部に収容され、前方に向けて発光する前飾り発光素子が主表面に実装されるとともに、中央部に挿通孔を有する環状の前飾り発光基板と、
その前飾り発光基板の前方に位置して前記前側装飾部と重ね合わせて配置され、前記前飾り発光素子が発する光を外部に漏出させるための透光性の前飾り表示部がその前飾り発光素子の装着位置に対応して形成されるとともに、前記前飾り発光基板の挿通孔を通り後方に延出するボス部を有するカバー体と、
そのカバー体のボス部が前記前側装飾部から後方に突出形成された有底の筒状部に挿入された形態において、前記前飾り凹部に前記前飾り発光基板を収納保持した前記前側装飾部の筒状部とその前側装飾部に重ね合わせて配置された前記カバー体のボス部とを後方端面側から共締め状態で固定するカバー体用締結部材とを備え、
前記前飾り発光基板には、前記挿通孔とは別の挿入孔を１又は複数貫通形成する一方、前記カバー体には、前記前飾り発光基板の挿入孔を通って後方に突出する係合凸部を形成し、前記前側装飾部には、後端側を前記台板に支持された前記回動軸の前端側を支持し、かつ前記挿入孔を通って後方に突出した係合凸部に嵌合するために、前後方向に貫通して係合孔を形成することができる。
【００２０】
この場合には、カバー体のボス部が前側装飾部から後方に突出形成された有底の筒状部に挿入された形態において、前飾り凹部に前飾り発光基板を収納保持した前側装飾部の筒状部とその前側装飾部に重ね合わせて配置されたカバー体のボス部とを、発光基板不存在位置（前飾り発光基板の挿通孔位置）にてカバー体用締結部材（例えばビス）により後方端面側から共締め状態で固定する。つまり、前飾り発光基板の挿通孔にカバー体のボス部を挿入することによって、発光基板不存在位置でのカバー体用締結部材による共締め固定が可能となる。したがって、前飾り発光基板を薄くかつ小さく形成しても割れ・変形等を生じにくく耐久性が向上し、遊技機用入賞装置全体の小型化・簡素化を図ることができる。
【００２１】
しかも、前飾り発光基板の中央部に形成された挿通孔を介して、前側装飾部の筒状部とカバー体のボス部とが係合される一方、挿通孔とは別の位置に形成された挿入孔を介して、前側装飾部の係合孔とカバー体の係合凸部とが係合される。したがって、これら両者の係合により前飾り凹部における前飾り発光基板の位置決めが容易かつ正確に行える。
【００２２】
このようなカバー体は、前飾り発光素子によって遊技機における内部抽選の結果を直接的に及び／又は保留数の形で間接的に表示するための発光表示盤（例えば普通図柄発光表示盤）を構成することができる。このように、最前部に位置する前飾り発光素子の発光態様の変化により内部抽選の結果を表示して、遊技の進行状況あるいは遊技態様の変化を遊技者に報知することができるので、遊技盤の盤面上で展開される遊技の興趣を一層高めることができる。
【発明を実施するための最良の形態】
【００２３】
（実施例）
以下、本発明の実施の形態を図面を参照しつつ説明する。図１は本発明に係る遊技機用入賞装置（以下、単に入賞装置ともいう）を備えたパチンコ機の一例を示す正面図、図２は本発明に係る入賞装置の一例を示す平面図、正面図、側面図及び背面図、図３はその入賞装置の分解斜視図、図４は台板発光基板及び前飾り発光基板の斜視図である。図１に示すように、パチンコ機１（遊技機）の遊技盤２の前面には、ほぼ左半周が内外２本の発射レール３によって区画され、全体としてほぼ円形の遊技領域４が形成されている。
【００２４】
この遊技領域４の略中央部には、遊技中に行われる第一の当否抽選（特別図柄抽選）の結果等を演出表示及び確定表示するための液晶表示部５が設置されている。また、液晶表示部５の下方には、始動入賞口２０ｃ（入賞口；図２（ｂ）参照）を狭く開口し入賞困難な第一位置（閉鎖状態；図２参照）と広く開口し入賞容易な第二位置（開放状態；図９参照）とに開口態様が変化する一対の回動翼片２０ａ，２０ａ（回動部材）を有し、入賞に基づき賞球払出しが行われるとともに、第一の当否抽選を開始させるスタートチャッカー２０（遊技機用入賞装置；遊技機用役物装置）が配置されている。さらに、スタートチャッカー２０の下方には、第一の当否抽選の結果が大当たりのときに開閉扉６ａを開放して多くの遊技球を入賞しやすくするアタッカー６（大入賞口）等が配置されている。そして、液晶表示部５の左右には、遊技球のゲート通過により第二の当否抽選（普通図柄抽選）を開始させるスルーゲート１０Ｌ，１０Ｒ（通過ゲート）がそれぞれ配置されている。
【００２５】
そして、遊技領域４の下側周縁部には、アタッカー６を挟む形態で、左右一対のサイドランプ７Ｌ，７Ｒが配置されている。また、左サイドランプ７Ｌには、スタートチャッカー２０への入賞に基づく第一の当否抽選の結果を特別図柄として確定表示する特別図柄表示部７ａ等が設置されている。一方、スタートチャッカー２０の前側装飾部２３の前方を覆う前カバー２２（カバー体）には、スルーゲート１０Ｌ，１０Ｒのゲート通過に基づく第二の当否抽選の結果を普通図柄として確定表示する普通図柄表示部２２ａ１、及び第二の当否抽選の結果の表示が保留状態にある保留球数を所定数（例えば４個）までカウント表示（例えばＬＥＤの点灯個数で表示）する普通図柄保留表示部２２ａ２等が設置されている（図２（ｂ）参照）。
【００２６】
このようなパチンコ機１においては、遊技球がスルーゲート１０Ｌ，１０Ｒを通過すると第二の当否抽選が行われる。その第二の当否抽選の結果は、普通図柄表示部２２ａ１に普通図柄として確定表示（例えば○×のＬＥＤ停止表示）される。このとき、普通図柄表示部２２ａ１の確定表示が「当たり」（例えば○の停止表示）であると、スタートチャッカー２０の回動翼片２０ａ，２０ａを所定時間（例えば０．２秒間）第二位置（開放状態）とする。そして、この間に遊技球がスタートチャッカー２０に入賞すると、賞球払出しが行われるとともに第一の当否抽選が行われる。その第一の当否抽選の結果は、特別図柄表示部７ａに特別図柄として確定表示される。例えば、特別図柄表示部７ａの確定表示が「大当たり」（例えば、「７」等の数字）であると、アタッカー６を所定時間（例えば３０秒間）開放する。このとき液晶表示部５では、所定の演出表示（例えば各々０〜９からなる３桁の数字の変動表示）が行なわれた後、「大当たり図柄」（例えば、「７７７」等の３桁のゾロ目）で停止表示して、大当たり状態を報知する。このように、第一及び第二の当否抽選は本来独立して実行されるが、遊技の進行状況により第二の当否抽選に続いて第一の当否抽選が実行される場合がある。
【００２７】
なお、本実施例において、上下方向とは遊技盤２の盤面に沿う形で遊技球が流下する方向（例えば鉛直方向）を意味する。また、左右方向とは遊技盤２に沿う形で上下方向と交差する方向（例えば水平方向）を意味し、遊技者側から見て左側、右側をいう。さらに、前後方向とは遊技盤２と交差（例えば直交）する方向を意味し、前方側（手前側）が遊技者側、後方側（奥側）が遊技盤２（遊技領域４）側となる。
【００２８】
図２及び図３に示すように、スタートチャッカー２０は、遊技盤２の盤面に対して前方側から取り付けられる台板２４と、台板２４から前方側に突出する前側装飾部２３と、台板２４に後方側から取り付けられるケーシング２５とを備えている。上記した一対の回動翼片２０ａ，２０ａは、台板２４と前側装飾部２３との間に架設された回動軸２０ｂの軸線Ｏ周りに第一位置及び第二位置の間で回動可能に配置されている。ケーシング２５は、回動翼片２０ａ，２０ａを第一位置及び第二位置の間で駆動変位させるソレノイド２６（アクチュエータ）及び入賞球を検知するチャッカーセンサ２１（遊技球検出センサ；図５参照）が収納された第一ケース２５ａと、ソレノイド２６の駆動力を回動翼片２０ａ，２０ａに伝達する伝動機構２７及び入賞球をチャッカーセンサ２１へ導く玉誘導樋２０ｇ（図５参照）が収納された第二ケース２５ｂとを有している。
【００２９】
一対の回動翼片２０ａ，２０ａ（始動入賞口２０ｃ）の上方には、台板２４から前方側に突出して上部入賞口２０ｅが配置されている。また、一対の回動翼片２０ａ，２０ａが第二位置（開放状態）に回動変位したとき、各回動翼片２０ａの上面には始動入賞口２０ｃを挟んで両側に遊技球Ｂの玉案内通路２０ｄ，２０ｄが形成される（図９参照）。さらに、前側装飾部２３の下部には、半径方向外側の斜め下方に向って二又状に延出する透明又は半透明の光透過部２３ｄ，２３ｄが一体的に形成されている。この光透過部２３ｄ，２３ｄの内部に嵌合する形で、円弧状の光拡散部２０ｆが別体に形成されている（図６参照）。後述するように、台板発光基板３４の主表面に実装された前方発光素子３４ａ３から出た光が光拡散部２０ｆで拡散し、光透過部２３ｄ，２３ｄを透過して前側装飾部２３を照らし出す（図６，図９参照）。
【００３０】
前側装飾部２３の前面には、前側装飾部２３の外周縁よりもやや小さい前飾り凹部２３ａが形成されている。中央部に挿通孔３３ｂを有する環状の前飾り発光基板３３が前飾り凹部２３ａに収容され、前飾り発光基板３３の主表面（前面）に実装された前飾り発光素子３３ａ（図４参照）が前方に向けて発光する。また、前飾り凹部２３ａには、前飾り発光基板３３の前方に位置して、前側装飾部２３と重ね合わせるように前カバー２２（カバー体）が配置されている。前飾り発光素子３３ａが発する光を外部に漏出させるために、透明樹脂製で蓋状又は連通孔状の前飾り表示部２２ａが前飾り発光素子３３ａの装着位置に対応して前カバー２２に形成されている。
【００３１】
具体的には、図４にも示すように、前飾り発光基板３３の上半部には、複数（例えば２個）の前飾り発光素子が左右に並んで配置されて、上記した普通図柄発光素子３３ａ１を構成する。そして、前カバー２２には、これに対応して透明蓋状で同数の前飾り表示部（図７参照）が配置されて、上記した普通図柄表示部２２ａ１（例えば図２（ｂ）の○×表示）を構成する。一方、前飾り発光基板３３の下半部には、複数（例えば４個）の前飾り発光素子が円弧状に配置されて、上記した普通図柄保留発光素子３３ａ２を構成する。そして、前カバー２２には、これに対応して連通孔状で同数の前飾り表示孔（図７参照）が配置されて、上記した普通図柄保留表示部２２ａ２（例えば図２（ｂ）の点灯個数表示）を構成する。
【００３２】
図５に示すように、前カバー２２には、前飾り発光基板３３の中央部の挿通孔３３ｂ（発光基板不存在位置に相当する）を通り後方に延出するボス部２２ｂが形成されている。また、前側装飾部２３にも後方に向けて有底の筒状部２３ｂが突出形成されている。そして、前側装飾部２３の筒状部２３ｂに前カバー２２のボス部２２ｂを挿入し、前側装飾部２３と前カバー２２とを前カバー取付ビス４１（カバー体用締結部材；カバー体用締結手段）によって筒状部２３ｂの後方端面側から共締め固定してある。
【００３３】
図４に戻り、前飾り発光基板３３には、挿通孔３３ｂとは別に、普通図柄発光素子３３ａ１を挟んで左右一対の挿入孔３３ｃ，３３ｃが貫通形成されている。また図３及び図６に示すように、前カバー２２には、前飾り発光基板３３の挿入孔３３ｃ，３３ｃを通って後方に突出する一対の係合凸部２２ｃ，２２ｃが形成されている。さらに、前側装飾部２３には、前後方向に貫通して一対の係合孔２３ｃ（係合凹部）が形成されていて、一対の回動翼片２０ａ，２０ａを支持する回動軸２０ｂ，２０ｂの前端側をそれぞれ支持し、前カバー２２の係合凸部２２ｃ，２２ｃにそれぞれ嵌合する。なお、回動軸２０ｂ，２０ｂの後端側は、台板２４の支持孔２４ｅ及び第二ケース２５ｂの有底筒部２５ｂ１に支持されている。
【００３４】
図２及び図３に戻り、台板２４の後面には、台板２４の外周縁よりもやや小さい台板凹部２４ａが形成されている。中央部に貫通孔３４ｂを有する環状の台板発光基板３４が台板凹部２４ａに収納され、台板発光基板３４の主表面（前面）に実装された台板発光素子３４ａ（図４参照）が前方に向けて発光する。また、台板２４には、台板発光素子３４ａが発する光を外部に漏出させるために、透明樹脂製で蓋状又は連通孔状の台板表示部２４ｂが台板発光素子３４ａの装着位置に対応して形成されている。
【００３５】
具体的には、図４にも示すように、台板発光基板３４の最上部には、複数（例えば２個）の台板発光素子が左右に振分配置されて、上部入賞口発光素子３４ａ１を構成する。そして、台板２４には、上部入賞口２０ｅを外側周囲（例えば斜め下方）から照らし出すために、上部入賞口２０ｅの外周を部分的に外側から取り囲む同数の光反射部２４ｄ，２４ｄが前方に突出して配置されている。このようにして、台板２４には、上部入賞口発光素子３４ａ１に対応して光反射部２４ｄを含む上部入賞口照射部２４ｂ１が形成される（図８参照）。
【００３６】
次に、台板２４の上部には、複数（例えば４個）の台板発光素子が左右に振分配置されて、玉案内通路発光素子３４ａ２を構成する。そして、台板２４には、これに対応して連通孔状で同数の台板表示孔（図６参照）が配置されて、玉案内通路照射部２４ｂ２を構成する。さらに、台板２４の最下部には、複数（例えば２個）の台板発光素子が左右に振分配置されて、前方発光素子３４ａ３を構成する。そして、台板２４には、これに対応して連通孔状で同数の台板表示孔（図６参照）が配置されて、前方照射部２４ｂ３を構成し、上記した光拡散部２０ｆ及び光透過部２３ｄ，２３ｄを介して前側装飾部２３を照らし出す。
【００３７】
図５に示すように、台板２４には、台板発光基板３４の中央部の貫通孔３４ｂの形成位置（発光基板不存在位置に相当する）に対応して、第二ケース２５ｂに収納された伝動機構２７及び玉誘導樋２０ｇを収容・配置するための収容孔２４ｃが形成されている。台板凹部２４ａに台板発光基板３４を収納保持して、台板２４を遊技盤２の盤面に対して前方側から取り付ける。その台板２４に対して前方側から前側装飾部２３を重ね合わせるとともに、後方側からケーシング２５（第二ケース２５ｂ）を重ね合わせて配置する。図６に示すように、これらの台板２４と前側装飾部２３とケーシング２５とを、台板発光基板３４の貫通孔３４ｂの内部（発光基板不存在位置）を通る第二ケース取付ビス４２（ケーシング用締結部材）によって共締め固定する。
【００３８】
なお、図３に示すように、上部入賞口２０ｅは、上部入賞口取付ビス４３によって第二ケース２５ｂに固定されている。また、第一ケース２５ａは、第一ケース取付ビス４４によって第二ケース２５ｂに固定されている。さらに、ソレノイド２６は、ソレノイド取付ビス４５によって第一ケース２５ａに固定されている。
【００３９】
このように、前飾り凹部２３ａに前飾り発光基板３３を収納保持し、前側装飾部２３の筒状部２３ｂと前カバー２２のボス部２２ｂとを、発光基板不存在位置（前飾り発光基板３３の挿通孔３３ｂ位置）にて前カバー取付ビス４１により後方端面側から共締め状態で固定する。つまり、前飾り発光基板３３の挿通孔３３ｂに前カバー２２のボス部２２ｂを挿入することによって、発光基板不存在位置での前カバー取付ビス４１による共締め固定が可能となる。したがって、前飾り発光基板３３を薄くかつ小さく形成しても割れ・変形等を生じにくく耐久性が向上し、スタートチャッカー２０全体の小型化・簡素化を図ることができる。
【００４０】
しかも、前飾り発光基板３３の中央部に形成された挿通孔３３ｂを介して、前側装飾部２３の筒状部２３ｂと前カバー２２のボス部２２ｂとが係合される一方、挿通孔３３ｂとは別の位置に形成された挿入孔３３ｃを介して、前側装飾部２３の係合孔２３ｃと前カバー２２の係合凸部２２ｃとが係合される。したがって、これら両者の係合により前飾り凹部２３ａにおける前飾り発光基板３３の位置決めが容易かつ正確に行える。
【００４１】
一方、台板凹部２４ａに台板発光基板３４を収納保持し、台板２４と前側装飾部２３とケーシング２５の３者を、発光基板不存在位置（台板発光基板３４の貫通孔３４ｂ位置）にて第二ケース取付ビス４２によって共締め固定することができる。これによって、台板発光基板３４を薄くかつ小さく形成しても割れ・変形等を生じにくく耐久性が向上し、スタートチャッカー２０全体の小型化・簡素化を図ることができる。
【００４２】
さらに、前飾り発光基板３３［台板発光基板３４］を環状形成することにより、前飾り発光基板３３［台板発光基板３４］がずれないように前側装飾部２３［台板２４］（の前飾り凹部２３ａ［台板凹部２４ａ］）と前カバー２２［ケーシング２５］とで押圧保持する場合でも、その保持面積（押圧面積）が広くなるので、基板に働く圧縮応力を低く抑えることができる。したがって、前飾り凹部２３ａ［台板凹部２４ａ］での前飾り発光基板３３［台板発光基板３４］のずれを防止するために前カバー取付ビス４１［第二ケース取付ビス４２］で強く締め付けても、前飾り発光基板３３［台板発光基板３４］の割れ・変形等が発生しにくくなる。
【００４３】
次に図１０は図１のパチンコ機の電気的構成を概略的に示すブロック図である。図１０に示すように、遊技制御装置１００は、主制御基板１１０（主制御部；発光制御部）、発光制御基板１２０（発光制御部）及び表示制御基板１３０（表示制御部）を含むものとして構成されている。
【００４４】
主制御基板１１０は、演算装置であるＣＰＵ１１１（第一及び第二の当否抽選手段）と、各種プログラム等が予め記憶された読み取り専用記憶装置であるＲＯＭ１１２と、読み書き可能な主記憶装置でありワークエリアとして使用されるＲＡＭ１１３と、入出力ポート１１４とを備えており、これらはバス（図示せず）を介して相互に接続されている。
【００４５】
主制御基板１１０には、スルーゲート１０Ｌ，１０Ｒに付設されたゲートセンサ１１Ｌ，１１Ｒ、スタートチャッカー２０に付設されたチャッカーセンサ２１、アタッカー６に付設されたアタッカーセンサ６１（図１参照）からの遊技球検知信号がそれぞれ入力されている。
【００４６】
発光制御基板１２０は、主制御基板１１０より入力される発光制御信号に応じて、次の発光態様をそれぞれ制御する。
（ａ）台板発光基板３４に実装された上部入賞口発光素子３４ａ１、玉案内通路発光素子３４ａ２及び前方発光素子３４ａ３；
（ｂ）サイドランプ７Ｌ，７Ｒ（図１参照）。
【００４７】
表示制御基板１３０は、主制御基板１１０より入力される表示制御信号に応じて、液晶表示部５に画像を表示させるための処理（制御）を実行する。なお、主制御基板１１０（ＣＰＵ１１１）から出力される普通図柄表示制御信号に応じて、前飾り発光基板３３に実装された普通図柄発光素子３３ａ１及び普通図柄保留発光素子３３ａ２が駆動制御される。また、主制御基板１１０（ＣＰＵ１１１）から出力されるスタートチャッカー制御信号により、スタートチャッカー２０の回動翼片２０ａ，２０ａ（図１参照）を回動変位させるためのチャッカーソレノイド２６が駆動制御される。同様に、主制御基板１１０（ＣＰＵ１１１）から出力されるアタッカー制御信号により、アタッカー６の開閉扉６ａ（図１参照）を回動変位させるためのアタッカーソレノイド２９が駆動制御される。
【００４８】
以上の遊技制御装置１００によるパチンコ遊技の一例（一部）を図１１〜図１３に示すフローチャートにより説明する。図１１に示す通過検知処理のフローチャートでは、Ｓ１にてゲートセンサ１１Ｌ，１１Ｒがスルーゲート１０Ｌ，１０Ｒを通過する遊技球を検知したかを確認する。通過遊技球が検知されると（Ｓ１でＹＥＳ）、Ｓ２にて内部抽選（第二の当否抽選）を実行し、次にＳ３にて普通図柄の保留数（普通図柄保留発光素子３３ａ２の点灯数）が４個に達しているかをチェックする。普通図柄の保留数が４個未満であれば（Ｓ３でＮＯ）、Ｓ４にて抽選結果を記憶し、Ｓ５にて普通図柄保留発光素子３３ａ２を新たに１個点灯して、リターンする。なお、普通図柄の保留数が４個に達していれば（Ｓ３でＹＥＳ）直ちにリターンする。
【００４９】
次に、図１２に示す普通図柄の呼出処理のフローチャートでは、Ｓ１１にて普通図柄の保留の有無、Ｓ１２にて普通図柄の変動表示中か否か、Ｓ１３にてスタートチャッカー２０（回動翼片２０，２０ａ）が第二位置（開放状態）か否かを順次判定する。普通図柄の保留があり（Ｓ１１でＹＥＳ）、普通図柄の変動表示が行われておらず（Ｓ１２でＮＯ）、かつスタートチャッカー２０が第一位置（閉鎖状態）であるとき（Ｓ１３でＮＯ）、Ｓ１４にて最古の抽選結果を呼び出し、Ｓ１５にて普通図柄保留発光素子３３ａ２を１個消灯した後、Ｓ１６にて普通図柄の変動処理サブルーチンを実行してリターンする。なお、普通図柄の保留がない場合（Ｓ１１でＮＯ）、普通図柄の変動表示中の場合（Ｓ１２でＹＥＳ）、及びスタートチャッカー２０が第二位置（開放状態）にある場合には、いずれも直ちにリターンする。
【００５０】
さらに、図１３に示す普通図柄の変動処理サブルーチンのフローチャートでは、Ｓ１６１にて当否の判定を行い、Ｓ１６２にて普通図柄発光素子３３ａ１での変動表示を開始し、変動表示時間経過後にＳ１６３にて抽選結果を再チェックする。抽選結果が当たりであれば（Ｓ１６３でＹＥＳ）、Ｓ１６４にて普通図柄発光素子３３ａ１を「○」で停止表示し、Ｓ１６５にてスタートチャッカー２０を第二位置（開放状態）とする。それと同時にＳ１６６にてすべての台板発光素子３４ａ（上部入賞口発光素子３４ａ１、玉案内通路発光素子３４ａ２及び前方発光素子３４ａ３）を点滅表示（演出表示）する（図９参照）。所定時間が経過すれば、Ｓ１６７にてスタートチャッカー２０を第一位置（閉鎖状態）とし、Ｓ１６８にてすべての台板発光素子３４ａを消灯してリターンする。なお、抽選結果が外れであれば（Ｓ１６３でＮＯ）、Ｓ１６９にて普通図柄発光素子３３ａ１を「×」で停止表示して直ちにリターンする。
【００５１】
このように、普通図柄（第二の当否抽選）の抽選結果が普通図柄発光素子３３ａ１で変動表示及び停止表示される。また、抽選結果が当たりの場合には、すべての台板発光素子３４ａによる演出表示が行われるので、発光態様の変化により新たな興趣を喚起できるとともに、遊技者は遊技の進行状況を的確に把握することができる。
【００５２】
（変形例）
図１４に前側装飾部と前カバーとの取付構造の変形例を示す。このうち、図１４（ａ）に示す第一の変形例では、実施例（例えば図５）を変更して、前側装飾部２３の前飾り凹部２３ａには前飾り発光基板３３のみを収納している。そして、前カバー２２（カバー体）の外周縁を前側装飾部２３の外周縁と一致させることにより、前面視のデザイン性を高めている。
【００５３】
次に、図１４（ｂ）に示す第二の変形例では、実施例（例えば図５）において中心部に設けていた前カバー２２（カバー体）のボス部と前側装飾部２３の筒状部とを省略し、前カバー取付ビス４１（カバー体用締結部材）を周縁部に複数（例えば２個）配置している。このように、中実円盤状を呈する前飾り発光基板３３の外周面３３ｂ’の外側に発光基板不存在位置が形成され、周縁部で共締めすることによって、前後方向の厚さを短縮することができる。
【００５４】
そして図１４（ｃ）では、第二の変形例において、さらに第一の変形例と同様に、前側装飾部２３の前飾り凹部２３ａには前飾り発光基板３３のみを収納している。これによって、前後方向の厚さを短縮するとともに、前面視のデザイン性を高めている。
【００５５】
なお、上記各変形例（図１４）において、実施例（図１〜図９）と共通する機能を有する部分には同一符号を付して説明を省略したものがある。
【図面の簡単な説明】
【００５６】
【図１】本発明に係る入賞装置を備えたパチンコ機の一例を示す正面図。
【図２】本発明に係る入賞装置の一例を示す平面図、正面図、側面図及び背面図。
【図３】図２の入賞装置の分解斜視図。
【図４】台板発光基板及び前飾り発光基板の斜視図。
【図５】図２（ｂ）のＡ−Ａ断面拡大図。
【図６】図２（ｂ）のＢ−Ｂ断面拡大図。
【図７】図２（ｂ）のＣ−Ｃ断面拡大図。
【図８】図２（ｂ）のＤ−Ｄ断面拡大図。
【図９】図２（ｂ）の作動説明図。
【図１０】図１のパチンコ機の電気的構成を概略的に示すブロック図。
【図１１】通過検知処理を示すフローチャート。
【図１２】普通図柄の呼出処理を示すフローチャート。
【図１３】普通図柄の変動処理サブルーチンを示すフローチャート。
【図１４】前側装飾部と前カバーとの取付構造の変形例を示す説明図。
【符号の説明】
【００５７】
１          パチンコ機（遊技機）
２          遊技盤
２０        スタートチャッカー（遊技機用入賞装置；遊技機用役物装置）
２０ａ      回動翼片（回動部材）
２０ｂ      回動軸
２０ｃ      始動入賞口（入賞口）
２０ｄ      玉案内通路
２０ｅ      上部入賞口
２１        チャッカーセンサ（遊技球検出センサ）
２２        前カバー（カバー体；発光表示盤）
２２ａ      前飾り表示孔（前飾り表示部）
２２ａ１    普通図柄表示部
２２ａ２    普通図柄保留表示部
２２ｂ      ボス部
２２ｃ      係合凸部
２３        前側装飾部
２３ａ      前飾り凹部
２３ｂ      筒状部
２３ｃ      係合孔（係合凹部）
２４        台板
２４ａ      台板凹部
２４ｂ      台板表示孔（台板表示部）
２４ｂ１    上部入賞口照射部
２４ｂ２    玉案内通路照射部
２４ｂ３    前方照射部
２４ｃ      収容孔
２４ｄ      光反射部
２５        ケーシング
２５ａ      第一ケース
２５ｂ      第二ケース
２６        ソレノイド（アクチュエータ）
２７        伝動機構
３３        前飾り発光基板
３３ａ      前飾り発光素子
３３ａ１    普通図柄発光素子
３３ａ２    普通図柄保留発光素子
３３ｂ      挿通孔
３３ｃ      挿入孔
３４        台板発光基板
３４ａ      台板発光素子
３４ａ１    上部入賞口発光素子
３４ａ２    玉案内通路発光素子
３４ａ３    前方発光素子
３４ｂ      貫通孔
４１        前カバー取付ビス（カバー体用締結部材；カバー体用締結手段）
４２        第二ケース取付ビス（ケーシング用締結部材）
Ｏ          軸線
【図１】
2008086698.tif 000003
【図２】
2008086698.tif 000004
【図３】
2008086698.tif 000005
【図４】
2008086698.tif 000006
【図５】
2008086698.tif 000007
【図６】
2008086698.tif 000008
【図７】
2008086698.tif 000009
【図８】
2008086698.tif 000010
【図９】
2008086698.tif 000011
【図１０】
2008086698.tif 000012
【図１１】
2008086698.tif 000013
【図１２】
2008086698.tif 000014
【図１３】
2008086698.tif 000015
【図１４】
2008086698.tif 000016